(57)【要約】      （修正有）【課題】表示パネルと共に展示サンプルを表示パネル前面に斜めに立て掛けて展示しても安定した形状を保つ事ができ、極めて容易に成型加工ができ、組み立てと撤収にも時間がかからず運搬収納にもスペースをとらず、かつ使用後の廃棄処理も環境問題を考慮する展示スペース付き縦型表示スタンドの提供。【解決手段】５の箇所をタニ折りとして、７の箇所をヤマ折りとして底板を形成する。６の箇所でヤマ折りとして、底板部分にある３のフックを６のヤマ折り部分にある２のフックホルダーに差込み１の宣伝文の表示スタンド縦型板部分を接着剤なしに固定し、８をストッパーとして展示サンプルを９の固定収納スペース部分に置き、１の宣伝文の表示スタンド縦型板部分を背にして、斜めに立てかけても滑らない展示形状を呈する。立体成型の組み立てと撤収に時間をかけず、組み立て後の形状も安定させることが可能となる。【選択図】図２
0003113551.tif 000002
【実用新案登録請求の範囲】
【請求項１】
直立した表示パネル部分と商品サンプルを表示パネル前面に立て掛けて展示しても滑らないようストッパーを設けたサンプル展示台を１枚の厚紙で成型し、接着剤を使用せず組み立てや撤収も容易で、運搬、収納にもスペースをとらないワンタッチ展示サンプル固定収納スペース付き縦型表示スタンド。
【考案の詳細な説明】
【技術分野】
【０００１】本考案は、折畳み式で、平たい１枚の厚紙を折り曲げてワンタッチで形成でき、前面に展示サンプルをストッパーで固定させる収納スペースがあり、後方には縦型の表示パネルを設けた立体形状の商品展示パネルになり、底面部のフック部分は接着剤なしで立体形状が安定するよう固定する。更に、撤収時に容易に平版に戻せるようにした折り紙細工に関するものである。
【背景技術】
【０００２】店頭もしくは展示会場で商品展示サンプルを前方収納スペースに立て掛けても滑らずに収納・展示でき、かつ成型や組み立てにも時間がかからず、丈夫で立体形状が安定したディスプレー用縦型スタンドが必要であった。
【考案の開示】
【考案が解決しようとする課題】
【０００３】立体型では、店頭もしくは展示会場への運搬時に容積が嵩張る。また、通常の折り畳み形状型であると、陳列配置のための組み立てと撤収に時間を多く要する。また、表示パネルと共に商品の展示サンプルを斜めに立て掛けてディスプレーするにはストッパーが必要であり、アクリル等の材質のものを使うと使用後の廃棄処理に問題があったが、それらの欠点を解決しようとするものである。
【課題を解決するための手段】
【０００４】ワンタッチで、平板の１枚厚紙から立体形状に瞬時に変形でき、さらに表示パネルに商品の展示サンプルを斜めに立て掛けてディスプレーする場合のストッパーも１枚の厚紙から成型される。折り紙式の加工品であることから運搬時および使用しない収容時に平板の一枚厚紙で嵩張らず、使用後の廃棄および再生焼却処理も安易であり問題点を解決している。
【考案の効果】
【０００５】上述の様に、本考案のワンタッチ式展示サンプル固定収納スペース付き縦型表示スタンドは、運搬時に１枚の厚紙の板として嵩張らず軽く、さらに立体形状化するのにワンタッチで時間がかからず、使用時は形状が安定しており、展示サンプルを斜めに立て掛けても固定するストッパー付であり、撤収時は瞬時に平たい形状に戻り、使用後の廃棄、再生、焼却がし易い。
【考案を実施するための最良の形態】
【０００６】本考案の実施の形態について図面を参照しながら説明する。まず、図１は立体組み立て前の１枚の厚紙である平面の状態の展開図を示す。また、図２は本体を図１の平面状態から図３の立体状態にする組み立てる途中の状態を示し、図３はワンタッチ式展示サンプル固定収納スペース付き縦型表示スタンドの立面図を示し、図４は本体を利用して展示サンプルを９の固定収納スペース部分に展示した応用使用例を示す。図１の５の箇所を図２のようにタニ折りとして、図１の４の部分が底板の底面部となるように７の箇所で図２のようにヤマ折りとする。図１の６の箇所で図２のようにヤマ折りとして、底板部分にある３のフックを６のヤマ折り部分にある２のフックホルダーに差込み１の宣伝文の表示スタンド縦型板部分を接着剤なしに固定し、８部分をストッパーとして展示サンプルを９の固定収納スペース部分に置き、１の宣伝文の表示スタンド縦型板部分を背にして、斜めに立てかけても滑らない展示形状を呈する。
【実施例】
【０００７】本考案は主に、商品の陳列台としての使用を主な目的としているが、店頭での販売促進効果をよりあげることが期待出来る。
【図面の簡単な説明】
【０００８】
【図１】本ワンタッチ式展示サンプル固定収納スペース付き縦型表示スタンドを平面な状態にした展開図である。
【図２】本ワンタッチ式展示サンプル固定収納スペース付き縦型表示スタンドの組み立て途中の立面図である。
【図３】本ワンタッチ式展示サンプル固定収納スペース付き縦型表示スタンドの組み立て後の一実施例を示す完成立面図である。
【図４】本ワンタッチ式展示サンプル固定収納スペース付き縦型表示スタンドの組み立て後に商品を収納スペースに設置した場合の実用例図である。
【符号の説明】
【０００９】１  宣伝文の表示スタンド縦型板部分
２  フックホルダー
３  フック
４  展示サンプル収納スペースの底板の底面部
５  タニ折部分
６  宣伝文の表示スタンド縦型板部分のヤマ折部分
７  底板形成のためのヤマ折り部分
８  展示サンプル固定ストッパー
９  展示サンプル固定収納スペース
【図１】
0003113551.tif 000003
【図２】
0003113551.tif 000004
【図３】
0003113551.tif 000005
【図４】
0003113551.tif 000006
【手続補正書】
【提出日】平成17年5月26日(2005.5.26)
【手続補正１】
【補正対象書類名】実用新案登録請求の範囲
【補正対象項目名】全文
【補正方法】変更
【補正の内容】
【実用新案登録請求の範囲】
【請求項１】
一枚の縦長の厚紙を縦方向に、「上部」、「中部」、「下部」の３つの部分に分割し、「上部」と「中部」の境界線には切り込みをいれず、「中部」の中央部に「上部」と「中部」の境界線の位置を上端としてコの字状の切り込みをいれ、左右両側を均等に刳り抜き残した部分である「支柱」と、「中部」の下方部分の刳り抜き残した部分である「展示サンプル固定ストッパー」と、「中部」の刳り抜きとった部分と「上部」とが一体となり直立する「表示スタンド縦型板部分」と、「下部」からなる「底板」と、からなり、
支柱の上端となる「上部」と「中部」との境界線をタニ折りとして、「中部」と「下部」との境界線をヤマ折りにして組み立てる「ワンタッチ展示サンプル固定収納スペース付き縦型表示スタンド」であって、
前記「表示スタンド縦型板部分」となる「中部」の刳り抜きとった部分の下方を残してヤマ折りにし、このヤマ折り部分に沿って横方向に中央部分約３分の１ほどの穴を開けてフックホルダーとし、底板となった「下部」の一部を前記フックホルダーの位置とその幅に合わせて１辺を残し３辺に切り込みを入れ刳り抜いた１辺を残してフックを形成し、このフックをフックホルダーに差し込むことにより「表示スタンド縦型板部分」を直立した形状として底板に固定させたことを特徴とする「ワンタッチ展示サンプル固定収納スペース付縦型表示スタンド」。
【手続補正２】
【補正対象書類名】図面
【補正対象項目名】図２
【補正方法】変更
【補正の内容】
【図２】
0003113551.tif 000007